(57)【要約】【課題】所定領域にある携帯端末から画像の登録を受け付け、所定領域にある携帯端末へ登録画像を配信し、登録画像に対する追加情報を受け付ける。【解決手段】本実施形態による画像管理サーバ２は、第１所定領域内にある第１携帯端末から撮影した画像を受信する画像受信部２０２と、受信した前記画像を記憶する記憶部２１と、第２所定領域内にある第２携帯端末へ、記憶部２１内の画像を送信する画像送信部２０３と、前記第２携帯端末から、送信した画像に対する追加情報を受信する追加情報受信部と、を備える。【選択図】図１
2019086834.tif 000002
【特許請求の範囲】
【請求項１】
第１所定領域内にある第１携帯端末から撮影した画像を受信する画像受信部と、
受信した前記画像を記憶する記憶部と、
第２所定領域内にある第２携帯端末へ、前記記憶部内の画像を送信する画像送信部と、
前記第２携帯端末から、送信した画像に対する追加情報を受信する追加情報受信部と、
を備える画像管理サーバ。
【請求項２】
前記画像受信部は複数の第１携帯端末から画像を受信し、
前記追加情報受信部は、前記第２携帯端末から画像に対する投票を受け付け、各画像の得票数の集計処理を行うことを特徴とする請求項１に記載の画像管理サーバ。
【請求項３】
前記記憶部は、前記第１所定領域の位置情報を含む撮影条件を記憶し、
前記第１携帯端末から現在位置情報を受信し、前記現在位置情報と、前記撮影条件に含まれる位置情報とが一致する場合に、前記第１携帯端末から画像を受信することを特徴とする請求項１又は２に記載の画像管理サーバ。
【請求項４】
前記撮影条件は時間情報を含み、前記現在位置情報と前記撮影条件に含まれる位置情報とが一致し、かつ現在時刻が前記時間情報と一致する場合に、前記第１携帯端末から画像を受信することを特徴とする請求項３に記載の画像管理サーバ。
【請求項５】
前記記憶部は、前記第２所定領域の位置情報を含む閲覧条件を記憶し、
前記第２携帯端末から現在位置情報を受信し、この現在位置情報と、前記閲覧条件に含まれる位置情報とが一致する場合に、前記第２携帯端末へ画像を送信することを特徴とする請求項１乃至４のいずれかに記載の画像管理サーバ。
【請求項６】
前記閲覧条件は時間情報を含み、前記第２携帯端末から受信した現在位置情報と前記閲覧条件に含まれる位置情報とが一致し、かつ現在時刻が前記閲覧条件に含まれる時間情報とが一致する場合に、前記第２携帯端末へ画像を送信することを特徴とする請求項５に記載の画像管理サーバ。
【請求項７】
第１所定領域内にある第１携帯端末から撮影した画像を受信する工程と、
受信した前記画像を記憶部に格納する工程と、
第２所定領域内にある第２携帯端末へ、前記記憶部に格納されている画像を送信する工程と、
前記第２携帯端末から、送信した画像に対する追加情報を受信する工程と、
を画像管理サーバが実行することを特徴とする画像管理方法。
【発明の詳細な説明】
【技術分野】
【０００１】
本発明は、画像管理サーバ及び画像管理方法に関する。
【背景技術】
【０００２】
スマートフォンやタブレット端末等の携帯端末で撮影した画像をサーバに登録し、管理することが行われている。ユーザが、携帯端末を用いてサーバにアクセスし、登録されている画像の中から任意の画像を選択すると、サーバは、選択された画像を携帯端末に対して配信する。従来の画像管理システムでは、ユーザＩＤやパスワードを入力して正規ユーザであることが認証されれば、画像登録や画像閲覧を自由に行うことができた。
【０００３】
サーバへの画像登録やサーバによる画像配信を利用した新たなサービス展開が求められている。
【先行技術文献】
【特許文献】
【０００４】
【特許文献１】特開２０１５−２０１０８２号公報
【発明の概要】
【発明が解決しようとする課題】
【０００５】
本発明は、所定領域にある携帯端末から画像の登録を受け付け、所定領域にある携帯端末へ登録画像を配信し、登録画像に対する追加情報を受け付ける画像管理サーバ及び画像管理方法を提供することを目的とする。
【課題を解決するための手段】
【０００６】
本発明の画像管理サーバは、第１所定領域内にある第１携帯端末から撮影した画像を受信する画像受信部と、受信した前記画像を記憶する記憶部と、第２所定領域内にある第２携帯端末へ、前記記憶部内の画像を送信する画像送信部と、前記第２携帯端末から、送信した画像に対する追加情報を受信する追加情報受信部と、を備えるものである。
【０００７】
本発明の一態様では、前記画像受信部は複数の第１携帯端末から画像を受信し、前記追加情報受信部は、前記第２携帯端末から画像に対する投票を受け付け、各画像の得票数の集計処理を行う。
【０００８】
本発明の一態様では、前記記憶部は、前記第１所定領域の位置情報を含む撮影条件を記憶し、前記第１携帯端末から現在位置情報を受信し、前記現在位置情報と、前記撮影条件に含まれる位置情報とが一致する場合に、前記第１携帯端末から画像を受信する。
【０００９】
本発明の一態様では、前記撮影条件は時間情報を含み、前記現在位置情報と前記撮影条件に含まれる位置情報とが一致し、かつ現在時刻が前記時間情報と一致する場合に、前記第１携帯端末から画像を受信する。
【００１０】
本発明の一態様では、前記記憶部は、前記第２所定領域の位置情報を含む閲覧条件を記憶し、前記第２携帯端末から現在位置情報を受信し、この現在位置情報と、前記閲覧条件に含まれる位置情報とが一致する場合に、前記第２携帯端末へ画像を送信する。
【００１１】
本発明の一態様では、前記閲覧条件は時間情報を含み、前記第２携帯端末から受信した現在位置情報と前記閲覧条件に含まれる位置情報とが一致し、かつ現在時刻が前記閲覧条件に含まれる時間情報とが一致する場合に、前記第２携帯端末へ画像を送信する。
【００１２】
本発明の画像管理方法は、第１所定領域内にある第１携帯端末から撮影した画像を受信する工程と、受信した前記画像を記憶部に格納する工程と、第２所定領域内にある第２携帯端末へ、前記記憶部に格納されている画像を送信する工程と、前記第２携帯端末から、送信した画像に対する追加情報を受信する工程と、を画像管理サーバが実行するものである。
【発明の効果】
【００１３】
本発明によれば、所定領域にある携帯端末から画像の登録を受け付け、所定領域にある携帯端末へ登録画像を配信し、登録画像に対する追加情報を受け付けることができる。
【図面の簡単な説明】
【００１４】
【図１】本発明の実施形態に係る画像管理システムの概略図である。
【図２】携帯端末に表示される開始画面の例を示す図である。
【図３】画像投稿画面の例を示す図である。
【図４】画像閲覧画面の例を示す図である。
【図５】携帯端末のハードウェア構成を示すブロック図である。
【図６】携帯端末の機能構成を示すブロック図である。
【図７】画像管理サーバのハードウェア構成図である。
【図８】画像管理サーバの機能構成を示すブロック図である。
【図９】同実施形態に係る画像管理方法を説明するフローチャートである。
【発明を実施するための形態】
【００１５】
図１は本発明の実施の形態に係る画像管理システムの概略図である。画像管理システムは、携帯端末１及び画像管理サーバ２を備える。携帯端末１は、所定の撮影条件を満たすと、撮影を行って、撮影画像を画像管理サーバ２にアップロードできる。携帯端末１は、例えばスマートフォンやタブレット端末等である。
【００１６】
画像管理サーバ２は、アップロードされた撮影画像を保管する。また、画像管理サーバ２は、所定の閲覧条件を満たす携帯端末１へ保管している撮影画像を配信し、携帯端末１で画像を閲覧できるようにする。また、画像管理サーバ２は、携帯端末１から、配信した画像（携帯端末１で閲覧されている画像）に対する情報の追加を受け付ける。撮影条件及び閲覧条件は、例えば、携帯端末１が所定の場所（領域内）に存在していることや、現在時刻が所定の時間帯の範囲に収まっていることである。携帯端末１の場所の特定には、例えばＧＰＳ（Global  Positioning  System）情報が用いられる。
【００１７】
撮影画像のアップロード、画像の閲覧、及び情報追加の例を図１〜図４を用いて説明する。
【００１８】
例えば、あるレジャー施設で行う花火大会に合わせて、フォトコンテストを行う。フォトコンテストでは、来場者が携帯端末１で花火Ｆを撮影し、画像管理サーバ２に投稿（アップロード）する。また、来場者は、携帯端末１で投稿された画像を閲覧し、情報追加処理としての投票を行う。画像管理サーバ２は、画像毎の得票数を集計する。
【００１９】
携帯端末１がレジャー施設の敷地内にある場合、フォトコンテストに参加可能となり、携帯端末１には図２に示すような開始画面Ｇ１が表示される。現在時刻が、撮影条件で設定された時間帯、例えば花火大会の開始から終了までの間である場合、撮影・投稿ボタンＢ１が有効となる。撮影・投稿ボタンＢ１を押すと、携帯端末１のカメラが起動し、撮影が行えるようになる。この場合、撮影条件は、携帯端末１がレジャー施設の敷地内に存在していること、及び現在時刻が花火大会の開始から終了までの間の範囲に収まっていることである。
【００２０】
携帯端末１で撮影を行うと、図３に示すような画像投稿画面Ｇ２が表示される。投稿ボタンＢ３を押すと、携帯端末１が撮影画像Ｐを画像管理サーバ２にアップロードする。端末１台あたりの投稿回数を制限してもよい。
【００２１】
現在時刻が、閲覧条件で設定された時間帯、例えば花火大会の開始から終了後３０分までの間である場合、閲覧・投票ボタンＢ２（図２参照）が有効となる。閲覧・投票ボタンＢ２を押すと携帯端末１は画像管理サーバ２から画像を取得する。この場合、閲覧条件は、携帯端末１がレジャー施設の敷地内に存在していること、及び現在時刻が花火大会の開始から終了後３０分までの間の範囲に収まっていることである。
【００２２】
携帯端末１は、図４に示すような画像閲覧画面Ｇ３を表示する。サムネイル領域Ｒには投稿された画像がサムネイル表示され、ボタンＢ５を押すことでスクロールすることができる。サムネイル画像を選択すると、選択した画像が大きく表示される。投票ボタンＢ４を押すことで、選択した画像に投票することができる。端末１台あたりの投票数を制限してもよい。
【００２３】
選択した画像の現時点での得票数の順位を表示してもよい。また、サムネイル領域Ｒでは、サムネイル画像を得票数の順で並べて表示してもよい。
【００２４】
画像管理サーバ２は、画像毎の得票数を集計する。画像管理サーバ２は、得票数の多かった画像を投稿した携帯端末１に対し、景品として、レジャー施設で使用できるクーポン券（クーポン画像）を送信してもよい。
【００２５】
このような画像管理システムにより、レジャー施設（花火大会の会場）に来た人だけが写真の投稿、閲覧、投票を可能とするフォトコンテストを実施できる。レジャー施設の敷地内にいる人しか参加できないため、花火大会開催日の来場者誘致に活用できる。
【００２６】
次に、画像管理システムの各部の構成について説明する。
【００２７】
図５は携帯端末１のハードウェア構成例を示す。携帯端末１は、ＣＰＵ１０（演算制御部）、記憶部１１、操作表示部１２、撮影部１３、ＧＰＳ受信部１４、及び通信部１５を有する。
【００２８】
記憶部１１は、フラッシュメモリ、ＲＯＭ（Ｒｅａｄ−ｏｎｌｙ  Ｍｅｍｏｒｙ）、ＲＡＭ（Ｒａｎｄｏｍ  Ａｃｃｅｓｓ  Ｍｅｍｏｒｙ）等の組み合わせであり、画像登録・閲覧プログラムを記憶する。画像登録・閲覧プログラムは、例えばインターネット上のウェブサイトからダウンロードして、携帯端末１に予めインストールされている。
【００２９】
操作表示部１２は、各種情報を表示すると共に、ユーザからの操作を受け付ける。例えば、操作表示部１２はタッチパネルである。
【００３０】
撮影部１３は、携帯端末１に内蔵されているデジタルカメラであり、ＣＣＤ（Charged  coupled  devices）センサや、ＣＭＯＳ（Complementary  metal-oxide-semiconductor）センサを用いたものである。
【００３１】
ＧＰＳ受信部１４は、ＧＰＳ衛星から発せられる電波を受信し、ＧＰＳ情報に基づいて、携帯端末１が存在する現在地の位置情報（緯度及び経度）を取得する。
【００３２】
通信部１５は、インターネット等を介して、画像管理サーバ２と通信を行い、画像データの送受信を行ったり、画像に対して情報を追加したりする。
【００３３】
ＣＰＵ１０が画像登録・閲覧プログラムを実行することで、図６に示すように、判定部１０１、表示処理部１０２、撮影処理部１０３、画像送信部１０４、画像取得部１０５、及び投票処理部１０６が実現される。各部の処理については後述する。
【００３４】
図７は、画像管理サーバ２の概略構成を示す。画像管理サーバ２は、ＣＰＵ２０（演算制御部）、記憶部２１、及び通信部２２を有するコンピュータである。記憶部２１は、フラッシュメモリ、ＲＯＭ、ＲＡＭ、ハードディスク等の組み合わせであり、画像管理プログラムを記憶する。
【００３５】
ＣＰＵ２０が画像管理プログラムを実行することで、図８に示すように、条件設定部２０１、画像受信部２０２、画像送信部２０３、及び集計部２０４が実現され、記憶部２１に条件記憶領域２１０、画像記憶領域２１１、及び集計結果記憶領域２１２が生成される。各部の処理については後述する。
【００３６】
次に、図９に示すフローチャートを用いて、撮影画像の投稿、閲覧、投票等を含む画像管理方法を説明する。
【００３７】
予め、画像管理サービスの管理者が、画像管理サーバ２に撮影条件及び閲覧条件を入力しておく。条件設定部２０１が、入力された条件を条件記憶領域２１０に格納する。撮影条件及び閲覧条件は、位置情報及び時間情報を含む。位置情報は、例えば、画像の撮影や閲覧が許可される場所のＧＰＳ位置情報（緯度、経度、高度、方角等）である。撮影条件及び閲覧条件が携帯端末１へ配信される。
【００３８】
上述の花火大会フォトコンテストの例では、撮影条件は、位置情報として、レジャー施設の敷地が登録され、時間情報として花火大会の開始から終了までが登録される。また、閲覧条件は、撮影条件と同じ位置情報が登録され、時間情報として花火大会の開始から終了後３０分までが登録される。
【００３９】
携帯端末１のＧＰＳ受信部１４がＧＰＳ情報から現在地の位置情報を取得する。判定部１０１は、携帯端末１の位置情報と、撮影条件に含まれる位置情報とを比較して、携帯端末１が、撮影条件（又は閲覧条件）で指定された場所（所定領域内）にいるか否か判定する（ステップＳ１）。
【００４０】
携帯端末１が所定領域内にある場合（ステップＳ１＿Ｙｅｓ）、表示処理部１０２が図２に示すような開始画面Ｇ１（選択画面）を操作表示部１２に表示する（ステップＳ２）。現在時刻が撮影条件で指定された時間帯、すなわち花火大会の開始から終了までの間である場合、撮影・投稿ボタンＢ１が有効となる（ステップＳ３＿Ｙｅｓ）。フォトコンテストに参加するユーザが撮影・投稿ボタンＢ１を押すと、撮影処理部１０３が撮影部１３を起動する。ユーザが撮影を行うと（ステップＳ４）、操作表示部１２に投稿ボタンＢ３が表示される。ユーザが投稿ボタンＢ３を押すと、画像送信部１０４が撮影画像を画像管理サーバ２へ送信し、画像を投稿する（ステップＳ５）。
【００４１】
画像管理サーバ２の画像受信部２０２は、携帯端末１から画像を取得し、画像記憶領域２１１に格納する。画像記憶領域２１１には、画像と共に、画像を投稿したユーザの識別情報が登録される。識別情報は例えばアプリＩＤである。
【００４２】
現在時刻が閲覧条件で指定された時間帯、すなわち花火大会の開始から終了後３０分までの間である場合、閲覧・投票ボタンＢ２が有効となる（ステップＳ６＿Ｙｅｓ）。ユーザが閲覧・投票ボタンＢ２を押すと、画像取得部１０５が画像管理サーバ２に対し、投稿されている画像を要求する。画像管理サーバ２の画像送信部２０３は、画像記憶領域２１１内の画像を取り出し、携帯端末１へ送信する。画像取得部１０５が画像管理サーバ２から画像を取得すると、表示処理部１０２が図３に示すような画像閲覧画面Ｇ３を操作表示部１２に表示する（ステップＳ７）。
【００４３】
ユーザが気に入った画像を選択し、投票ボタンＢ４を押すと、投票処理部１０６が投票情報を画像管理サーバ２へ送信する。画像管理サーバ２が投票情報を受信すると、集計部２０４は、集計結果記憶領域２１２内の画像毎の得票数を更新する。
【００４４】
このような画像管理方法により、レジャー施設（花火大会の会場）に来た人だけが写真の投稿、閲覧、投票を可能とするフォトコンテストを実施できる。レジャー施設の敷地内にいる人しか参加できないため、花火大会開催日の来場者誘致に活用できる。
【００４５】
上述の閲覧条件の時間情報は、画像の閲覧及び投票を可能とする時間であったが、この時間の後もレジャー施設の敷地内にいることを条件に閲覧のみは可能とすることが好ましい。例えば、レジャー施設の敷地を位置情報とし、フォトコンテストの投票締め切り後から次回（来年）のフォトコンテストまでの間を時間情報とする第２の閲覧条件を設定する。
【００４６】
また、画像管理サーバ２は、所定数以上の得票数を獲得した画像のみを保存して閲覧できるようにし、得票数の少ない画像を消去してもよい。これにより、画像管理サーバ２の記憶部２１の負荷を軽減できる。
【００４７】
上記実施形態では、携帯端末１が、閲覧している画像に対し情報追加する例として投票を行うことを説明したが、投票に限定されず、コメント付与などであってもよい。この場合、画像管理サーバ２の集計部２０４（追加情報受信部）は、携帯端末１からコメントを受信し、画像に対応付けてコメントを保存する。画像管理サーバ２は、携帯端末１へ画像を配信する際、対応付けられたコメントも配信する。
【００４８】
撮影条件や閲覧条件に登録される位置情報はＧＰＳ情報に限定されず、例えば、無線ＬＡＮのアクセスポイントからの発信信号に含まれるアクセスポイント識別子（例えばＳＳＩＤ：Service  Set  Identifier）でもよい。
【００４９】
上記実施形態では、撮影条件と閲覧条件とで同じ位置情報が登録される例について説明したが、異なっていてもよい。すなわち、撮影・投稿が可能となる第１所定領域と、閲覧・投票が可能となる第２所定領域とが異なっていてもよい。
【００５０】
上記実施形態では、撮影条件や閲覧条件を満たしているか否かを携帯端末１が判定する例について説明したが、画像管理サーバ２が判定してもよい。この場合、携帯端末１が画像管理サーバ２へ位置情報を通知する。画像管理サーバ２は、通知された位置情報、及び現在時刻に基づいて、撮影条件や閲覧条件を満たしているか否かを判定する。撮影条件や閲覧条件を満たしている場合、画像管理サーバ２は、携帯端末１に対し、撮影や撮影画像の投稿、画像の閲覧や投票を許可する。
【００５１】
画像管理サーバ２は、携帯端末１から受信した撮影画像がＥｘｉｆ（登録商標）（Exchangeable  Image  File  Format）に準拠した形式の場合、画像ファイルに含まれるＧＰＳ情報と、撮影条件に登録された位置情報とが一致するか否か判定し、位置情報が一致しない画像は消去してもよい。これにより、所定領域（例えば花火大会の会場）以外で撮影された画像が閲覧用に配信されることを防止できる。
【００５２】
上記説明は本発明の一例であり、本発明は上記以外の形態とされてもよい。
【符号の説明】
【００５３】
１  携帯端末
２  画像管理サーバ
【図１】
2019086834.tif 000003
【図２】
2019086834.tif 000004
【図３】
2019086834.tif 000005
【図４】
2019086834.tif 000006
【図５】
2019086834.tif 000007
【図６】
2019086834.tif 000008
【図７】
2019086834.tif 000009
【図８】
2019086834.tif 000010
【図９】
2019086834.tif 000011